(57)【要約】【課題】プラズマディスプレイ装置において、耳障りに聞こえる周波数成分を高周波にすることによって、標高の高い地域でのノイズを低減することを目的とする。【解決手段】一対の基板を間に空間が形成されるように対向配置するとともに周辺部を封着部材１４により封着し、かつ空間を複数に仕切るための隔壁１５を設けることにより構成され、かつ隔壁１５は、その中央部と端部とで高さを異ならせて配置したもので、この構成とすることにより、高地においてパネル内部を膨らみにくくしたものである。【選択図】  図１
2004349043.tif 000002
【特許請求の範囲】
【請求項１】
一対の基板を間に空間が形成されるように対向配置するとともに周辺部を封着部材により封着し、かつ前記空間を複数に仕切るための隔壁を設けることにより構成され、かつ前記隔壁は、その中央部と端部とで高さを異ならせて配置したことを特徴とするプラズマディスプレイ装置。
【請求項２】
隔壁の高さが隔壁の端部からパネル中央に向かって、徐々に高くなることを特徴とする請求項１に記載のプラズマディスプレイ装置。
【請求項３】
隔壁の高さが隔壁のパネル中央部から終端部に向かって高くなることを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型がある。高精細化、大画面化および製造の簡便性から、現状では、ＡＣ型で面放電型のプラズマディスプレイ装置が主流を占めるようになってきている。
【０００４】
図４〜図７はこのようなプラズマディスプレイ装置におけるパネル構造の一例を示しており、図４は一部を切り欠いて示す斜視図、図５はパネル全体の概略断面図、図６は図４中のＡ−Ａ’線で切断した断面図を示し、図７は図４中のＢ−Ｂ’線で切断した断面図を示している。図４〜図７に示すように、ガラス基板等の透明な前面基板１上には、走査電極２と維持電極３とで対をなすストライプ状の表示電極４が複数対形成され、そして前面基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、前面基板１には、複数対の電極群を覆うように誘電体層６が形成され、その誘電体層６上には保護層７が形成されている。
【０００５】
また、前面基板１に対向配置される背面基板８上には、走査電極２および維持電極３の両表示電極４と直交する方向に、下地誘電体層９で覆われた複数のストライプ状のデータ電極１０が形成されている。この各々のデータ電極１０間の下地誘電体層９上には、データ電極１０と平行にストライプ状の複数の隔壁１１が配置され、この隔壁１１間には、隔壁の側面１１ａおよび下地誘電体層９の表面に蛍光体層１２が設けられている。
【０００６】
これらの前面基板１と背面基板８とは、走査電極２および維持電極３の両表示電極４とデータ電極１０とが直交するように、微小な放電空間を挟んで対向配置されるとともに、周囲が封止され、そして放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点に位置する複数の放電セル１３が設けられ、その各放電セル１３には、赤色、緑色および青色の３色が個別に発光するように、それぞれの蛍光体層１２が１色ずつ順次配置されている。なお、図５において、１４は前面基板１と背面基板８の周囲を封止するためのガラスフリット等の封着部材である。
【０００７】
このパネルの電極配列は、図８に示すように、Ｍ行×Ｎ列の放電セルからなるマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている（特許文献１参照）。
【０００８】
【特許文献１】
特開２００１−１８９１３５号公報
【０００９】
【発明が解決しようとする課題】
プラズマディスプレイ装置のパネル本体は、図５に示すように、前面基板１と背面基板８とが隔壁を挟持して貼り合わされ、また内部にはネオンを主体とする放電ガスが約５００Ｔｏｒｒで封入されており、通常は大気圧により前面基板１は背面基板８の隔壁１１に圧接されている。
【００１０】
しかし、外気の気圧が低い地域、特に標高の高い場所では前面基板と背面基板の密着力が弱くなり、背面基板に構成されている隔壁と前面基板に隙間が生じ、パネル動作時に可聴のノイズが発生する問題があった。このノイズは人の聴感ではジーと聞こえ、音圧が３０ｄＢを越えるとかなり耳障りになるものである。
【００１１】
本発明はこのような問題を解決するもので、耳障りに聞こえる周波数成分を高周波にすることによって、標高の高い地域でのノイズを低減することを目的とする。
【００１２】
【課題を解決するための手段】
上記目的を達成するために本発明のプラズマディスプレイ装置は、一対の基板を間に空間が形成されるように対向配置するとともに周辺部を封着部材により封着し、かつ空間を複数に仕切るための隔壁を設けることにより構成され、かつ隔壁は、その中央部と端部とで高さを異ならせて配置したもので、この構成とすることにより、高地においてパネル内部を膨らみにくくなるようにしたものである。
【００１３】
また本発明のプラズマディスプレイ装置は、上記構成において、隔壁の高さが隔壁の端部からパネル中央に向かって、徐々に高くなる構成としており、パネル中央部が膨らむように隔壁の高さを隔壁の終端部より高くすることにより、封着時に基板に添うような形で封着され、これにより、高地においてパネル内部を膨らみにくくするものである。
【００１４】
また本発明のプラズマディスプレイ装置は、上記構成において、隔壁の高さが隔壁のパネル中央部から終端部に向かって高くなる構成としており、パネル中央部が沈み込むように隔壁の高さを隔壁の終端部より低くすることにより、封着時に基板に添うような形で封着され、これにより、高地においてパネル内部を膨らみにくくする。
【００１５】
【発明の実施の形態】
以下、本発明の一実施の形態によるプラズマディスプレイ装置について、図１〜図８の図面を用いて説明する。
【００１６】
図１に本発明の一実施の形態によるプラズマディスプレイ装置におけるパネル構造を示し、図２に装置全体の構成を示している。パネルは、前面パネルと背面パネルとから構成されている。前面パネルは、前面基板１上に表示電極として、ＩＴＯまたは酸化スズ（ＳｎＯ２）等の透明導電性材料からなる透明電極２ａ、３ａおよび銀（Ａｇ）厚膜（厚み：２μｍ〜１０μｍ）、アルミニウム（Ａｌ）薄膜（厚み：０．１μｍ〜１μｍ）またはＣｒ／Ｃｕ／Ｃｒ積層薄膜（厚み：０．１μｍ〜１μｍ）からなる母線２ｂ、３ｂを順次積層形成し、そしてその表示電極を覆うように、酸化鉛（ＰｂＯ）または酸化ビスマス（Ｂｉ２Ｏ３）または酸化燐（ＰＯ４）を主成分（一例として、酸化鉛（ＰｂＯ）７０重量％、酸化硼素（Ｂ２Ｏ３）１５重量％、酸化珪素（ＳｉＯ２）１５重量％）とする低融点ガラス（厚み２０μｍ〜５０μｍ）からなる誘電体層６をスクリーン印刷法（ダイコート印刷またはフィルムラミネート法でも形成可能）によって形成し、次に誘電体層６をプラズマによる損傷から保護するために、ＭｇＯからなる保護層７（厚み：１００ｎｍ〜１０００ｎｍ）を電子ビーム蒸着法または、スパッタリング法により形成することにより構成されている。なお、一例として、母線２ｂ、３ｂを銀電極で構成した場合、紫外線感光性樹脂を含んだ銀電極用インクをスクリーン印刷法により均一塗布して乾燥した後、露光現像によるパターニングと焼成によって形成する。
【００１７】
一方、背面パネル側は、まず背面基板８上に、銀（Ａｇ）厚膜（厚み：２μｍ〜１０μｍ）、アルミニウム（Ａｌ）薄膜（厚み：０．１μｍ〜１μｍ）またはＣｒ／Ｃｕ／Ｃｒ積層薄膜（厚み：０．１μｍ〜１μｍ）からなるデータ電極１０を表示電極と交差する方向に形成し、そしてそのデータ電極１０を覆うように、酸化鉛（ＰｂＯ）または酸化ビスマス（Ｂｉ２Ｏ３）または酸化燐（ＰＯ４）を主成分とする低融点ガラス（厚み５μｍ〜２０μｍ）からなる下地誘電体層９を形成している。
【００１８】
さらに、その下地誘電体層９上には、ガラスを主成分とする隔壁１５が所定のピッチで形成され、さらに隔壁１５によって挟まれた各空間に赤色蛍光体（Ｒ）、緑色蛍光体（Ｇ）、青色蛍光体（Ｂ）による蛍光体層１２が形成され、これにより背面パネルが構成されている。ここで、隔壁１５は、隔壁１５の端部からパネル中央に向かって、高さが徐々に高くなる形状としている。
【００１９】
なお、下地誘電体層９は、隔壁１５との密着性を改善するためのものであり、ないとプラズマディスプレイパネルが動作しないというものではない。また、蛍光体層１２はそれぞれ、赤色蛍光体（Ｒ）、緑色蛍光体（Ｇ）、青色蛍光体（Ｂ）粉末にビークルを混合し、ペースト状にしたものをインク吐出法によって塗布し形成する。また、背面基板８に形成する隔壁１５は主に、ダイコート印刷により形成され、露光・現像を行って形成する。ここでは、中央部を高くするように形成しなければならないため、例えば数回のエッチングを行って作る方法や、隔壁１５の乾燥後、研磨する等の方法を用いることで、図１のような中央部が高い隔壁１１を形成することができる。
【００２０】
次に、このようにして作製した前面パネルと背面パネルとを封着部材１４を用いて貼り合わせるとともに、隔壁１５で仕切られた放電セル１３内を高真空（１×１０−４Ｐａ）に排気した後、所定の組成の放電ガスを、所定の圧力で封入することによってプラズマディスプレイパネルを作製する。一例として、ネオンガスとキセノンガスの混合ガスを体積％でそれぞれ９５％、５％とし、圧力を６６．５ｋＰａ（５００Ｔｏｒｒ）としている。
【００２１】
これまで、封着時に少なからず、前面パネルと背面パネルの間に隙間が生じ、排気工程でパネル内圧を大気圧よりも低い気圧にすることで、無理に両方のパネルを結合していた。そのため、高地において、前面パネルにかかる外圧（パネル内外圧差）が弱まり前面パネルが持つ弾性力が強まり、そのため隙間が生じ、ノイズを発生させていた。
【００２２】
そこで、本発明のような、あらかじめ隔壁１５の高さをパネル中央部が高くなるような形状にすることにより、封着・排気工程での前面パネルに働く弾性力を弱めることができノイズを抑制することができる。
【００２３】
ここで、封着後のパネルの形状と排気後のパネルの形状を測定したところ、パネル中央部に向かって隔壁１５の頂部と誘電体層６との間に隙間がおよそ２０μｍ開いていることが分かった。そこで、隔壁１５の高さを最大３０μｍから数μｍの高低差をつけた背面パネルを作成して、実験を行った結果、高低差を１５μｍ〜２５μｍにしたときに最もよい結果を得ることができた。
【００２４】
このようなプラズマディスプレイ装置は、標高の高い地域でもパネルの膨らみを押さえることができ、パネル周辺部から発生するノイズを抑制することができる。
【００２５】
次に、このようなパネルを組み込んだプラズマディスプレイ装置の全体構成について図２を用いて説明する。図２において、パネル本体２１を収容する筐体は、前面枠２２と金属製のバックカバー２３とから構成され、前面枠２２の開口部には光学フィルターおよびパネル本体２１の保護を兼ねたガラス等からなる前面カバー２４が配置されている。また、この前面カバー２４には電磁波の不要輻射を抑制するために、例えば銀蒸着が施されている。さらに、バックカバー２３には、パネル本体２１等で発生した熱を外部に放出するための複数の通気孔２３ａが設けられている。
【００２６】
パネル本体２１は、アルミニウム等からなるシャーシ部材２５の前面に熱伝導シート２６を介して接着することにより保持され、そしてシャーシ部材２５の後面側には、パネル本体２１を表示駆動させるための複数の回路ブロック２７が取り付けられている。熱伝導シート１６は、パネル本体２１で発生した熱をシャーシ部材２５に効率よく伝え、放熱を行うためのものである。また、回路ブロック２７はパネル本体２１の表示駆動とその制御を行うための電気回路を備えており、パネル本体２１の縁部に引き出された電極引出部に、シャーシ部材２５の四辺の縁部を越えて延びる複数のフレキシブル配線板（図示せず）によって電気的に接続されている。
【００２７】
また、シャーシ部材２５の後面には、回路ブロック２７を取り付け、バックカバー２３を固定するためのボス部２５ａがダイカスト等による一体成型により突設されている。なお、このシャーシ部材２５は、アルミニウム平板に固定ピンを固定して構成してもよい。
【００２８】
図３は本発明の他の実施の形態によるプラズマディスプレイ装置におけるパネル構造を示す断面図であり、この実施の形態においては、上記実施の形態の隔壁１５に代えて、パネル中央部から終端部に向かって高くなる隔壁２８を設けたものである。すなわち、本実施の形態では、図３に示すように隔壁２８の高さが中央部を境に上下方向に高くなるように設けている。このとき、封着部材１４の高さは、隔壁２８の高さより高くなるようにしておくことにより、パネル全体に前面パネルを内側に付勢する力がかかり、高地においても膨らみにくい構造をとることができる。この試作パネルを標高２０００ｍの箇所で、ノイズ測定を行ったところ、３０ｄＢ以下に抑えることができた。
【００２９】
このとき、プラズマディスプレイパネルの隔壁２８の高低差は１０μｍ〜２０μｍのものを作成した。その結果もっともノイズレベルを抑えることができたのは、１５μｍのものであった。また、封着部材１４の高さは隔壁２８よりも約５μｍほど高くなるように設計した。これにより、封着部材１４でのパネルの沈み込みがなく、隔壁２８に添った形で、封着をすることができる。
【００３０】
このようなプラズマディスプレイ装置は、気圧の低い高地での実動作においても、可聴域に共振周波数を発生することがなく、ノイズを発生することがないという効果が得られる。
【００３１】
【発明の効果】
以上の説明から明らかなように、本発明にかかるプラズマディスプレイ装置によれば、気圧の低い地域や場所での実動作において、ノイズを抑制することができるという効果が得られる。
【図面の簡単な説明】
【図１】本発明の一実施の形態によるプラズマディスプレイ装置におけるパネル構造を示す断面図
【図２】同プラズマディスプレイ装置全体の構成を示す分解斜視図
【図３】本発明の他の実施の形態によるプラズマディスプレイ装置のパネル構造を示す断面図
【図４】一般的なプラズマディスプレイ装置のパネル構造の一例を示す斜視図
【図５】同パネル構造を示す概略断面図
【図６】図４のＡ−Ａ’線で切断した断面図
【図７】図４のＢ−Ｂ’線で切断した断面図
【図８】同プラズマディスプレイ装置のパネル本体の電極配列を示す説明図
【符号の説明】
１  前面基板
２  走査電極
３  維持電極
４  表示電極
５  遮光層
６  誘電体層
７  保護層
８  背面基板
９  下地誘電体層
１０  データ電極
１２  蛍光体層
１３  放電セル
１４  封着部材
１５，２８  隔壁
【図１】
2004349043.tif 000003
【図２】
2004349043.tif 000004
【図３】
2004349043.tif 000005
【図４】
2004349043.tif 000006
【図５】
2004349043.tif 000007
【図６】
2004349043.tif 000008
【図７】
2004349043.tif 000009
【図８】
2004349043.tif 000010